(57)【要約】【課題】構造が簡単で、ストラップを容易に取り付けることができるストラップの取付構造及びこの取付構造を備える携帯式電子装置を提供すること。【解決手段】本発明のストラップの取付構造は、取付孔を有する携帯式電子装置に設けられ、前記ストラップの取付構造は、掛止用柱体を有する掛け部と、抜け止め部と、ガイド部と、を備える。前記掛止用柱体は、前記抜け止め部の内部に嵌合可能であり、前記ガイド部は前記取付孔に隣接して設けられ、前記ストラップ紐は前記掛止用柱体に掛けられ、前記抜け止め部は前記ストラップ紐が前記掛止用柱体から脱離することを防止し、前記ストラップ紐は前記ガイド部を通過して、且つ前記ガイド部に沿って前記取付孔の外部へ引き出される。【選択図】図５
2014033196.tif 000002
【特許請求の範囲】
【請求項１】
取付孔を有する携帯式電子装置に設けられるストラップの取付構造であって、掛止用柱体を有する掛け部と、抜け止め部と、ガイド部と、を備えており、前記掛止用柱体は、前記抜け止め部の内部に嵌合可能であり、前記ガイド部は、前記取付孔に隣接して設けられ、前記ストラップの紐は、前記掛止用柱体に掛けられ、前記抜け止め部は、前記ストラップの紐が前記掛止用柱体から脱離することを防止し、前記ストラップの紐は、前記ガイド部を通過し、且つ前記ガイド部に沿って前記取付孔の外部へ引き出されることを特徴とするストラップの取付構造。
【請求項２】
前記ガイド部には斜面が設けられ、前記掛け部は当接板をさらに備え、前記斜面は前記取付孔と対向して設けられ、前記当接板と前記斜面と前記携帯式電子装置との間には間隙が形成され、前記間隙は、前記斜面に対応する位置において前記取付孔に連通するので、前記ストラップは前記間隙を通過して、前記斜面に沿って引き出されることを特徴とする請求項１に記載のストラップの取付構造。
【請求項３】
前記抜け止め部は、筐体及び前記筐体の内部に形成された中空部を備え、前記掛け部は収容凹所をさらに備え、前記筐体は前記収容凹所内に収容され、前記掛止用柱体は前記中空部の内部に収容されることを特徴とする請求項２に記載のストラップの取付構造。
【請求項４】
前記掛け部は仕切り板をさらに備え、前記掛止用柱体及び前記当接板は、前記仕切り板の一端からお互いに反対向きにそれぞれ延在することを特徴とする請求項３に記載のストラップの取付構造。
【請求項５】
本体部と、ケース体と、電池蓋と、ストラップの取付構造と、を備える携帯式電子装置であって、
前記ケース体及び前記電池蓋は、前記本体部の対向する両面に被覆されて係合され、前記本体部の一端には貫通溝が設けられ、前記ストラップの取付構造は、前記貫通溝の内部に設けられた掛け部を備え、前記掛け部は掛止用柱体を備え、前記本体部には前記貫通溝と互いに連通する取付孔が設けられ、
前記ストラップの取付構造は、前記電池蓋に設けられた抜け止め部及び前記ケース体に設けられたガイド部をさらに備え、前記電池蓋が前記本体部に係合された後、前記掛止用柱体は前記抜け止め部の内部に嵌合され、
前記ガイド部は、前記取付孔に隣接して設けられ、前記ストラップの紐は、前記掛止用柱体に掛けられ、前記抜け止め部は、前記ストラップの紐が前記掛止用柱体から脱離することを防止し、前記ストラップの紐は、前記ガイド部を通過し、且つ前記ガイド部に沿って前記取付孔の外部へ引き出されることを特徴とする携帯式電子装置。
【請求項６】
前記ガイド部には斜面が設けられ、前記掛け部は当接板をさらに備え、前記斜面は前記取付孔と対向して設けられており、前記ケース体が前記本体部にカバーされた後、前記当接板と前記斜面と前記本体部との間には間隙が形成され、前記間隙は、前記斜面に対応する位置において前記取付孔に連通するので、前記ストラップは前記間隙を通過して、前記斜面に沿って引き出されることを特徴とする請求項５に記載の携帯式電子装置。
【請求項７】
前記抜け止め部は筐体及び前記筐体の内部に形成された中空部を備え、前記掛け部は収容凹所をさらに備え、前記電池蓋が前記本体部にカバーされた後、前記筐体は前記収容凹所内に収容され、前記掛止用柱体は前記中空部の内部に収容されることを特徴とする請求項６に記載の携帯式電子装置。
【請求項８】
前記本体部は、第一表面と、第一表面に対向して設置される第二表面と、第一表面と第二表面とを連接する端壁と、を備え、
前記貫通溝は、前記端壁において前記第一表面及び前記第二表面を貫通するように設けられ、前記貫通溝は、互いに対向して設けられた２つの側壁を備え、前記仕切り板は、一方の前記側壁の中部から、前記第一表面に対して平行するように延在し、前記掛止用柱体及び前記当接板は、前記仕切り板の一端から互いに反対向きにそれぞれ延伸することを特徴とする請求項７に記載の携帯式電子装置。
【請求項９】
前記ケース体は、前記本体部の前記第二表面にカバーされて固定され、前記ケース体の前記本体部の前記第二表面に向かう表面の一端の縁には位置決め板が突設され、
前記ガイド部は、位置決め板に隣接するように主体板の縁に突設され、前記ガイド部と前記位置決め板との間には、前記当接板を挟持するためのストッパー溝が形成されていることを特徴とする請求項８に記載の携帯式電子装置。
【請求項１０】
前記電池蓋は底板及び底板を囲むように設けられた側板を備え、前記抜け止め部は、前記底板と前記側板との連接部位に設けられ、前記側板における前記本体部の掛け部に対応する部位には切欠きが設けられ、前記電池蓋は、前記本体部の前記第一表面及び前記端壁を被覆するように装着されることを特徴とする請求項９に記載の携帯式電子装置。
【発明の詳細な説明】
【技術分野】
【０００１】
本願発明は、ストラップの取付構造及びこのストラップの取付構造を備える携帯式電子装置に関するものである。
【背景技術】
【０００２】
現在、携帯式電子装置に対して、多機能化、軽薄化、小型化及び美観が強く求められている。ユーザー個人のニーズを満たすために、通常、携帯式電子装置の本体の上部或いは下部には、ストラップに取り付けられたループ状のストラップ紐を通すための取付孔が設けられている。そこで、ユーザーは、前記ストラップ紐をこの取付孔に通して携帯式電子装置の本体にストラップを取り付ける。
【０００３】
しかし、携帯式電子装置全体の美観を維持し、且つその本体の内部空間を節約するために、ストラップの取付孔のサイズは小さくなっており、そのため、ストラップのストラップ紐を前記取付孔に着脱することは難しい。また、電子装置の内部にローター等の部品を設けて、ストラップのストラップ紐を容易に装着させる構造が存在するが、このようなストラップの取付構造は複雑であり、電子装置の本体の内部空間も占用するため、小型化に不向きである。
【発明の概要】
【発明が解決しようとする課題】
【０００４】
上記の問題点に鑑みて、本発明は構造が簡単で、ストラップを容易に取り付けることができるストラップの取付構造及びこの取付構造を備える携帯式電子装置を提供することを目的とする。
【課題を解決するための手段】
【０００５】
上記の課題を解決するために、本発明に係るストラップの取付構造は、取付孔を有する携帯式電子装置に設けられ、且つ掛止用柱体を有する掛け部と、抜け止め部と、ガイド部と、を備える。前記掛止用柱体は、前記抜け止め部の内部に嵌合可能であり、前記ガイド部は、前記取付孔に隣接して設けられ、前記ストラップの紐は、前記掛止用柱体に掛けられ、前記抜け止め部は、前記ストラップの紐が前記掛止用柱体から脱離することを防止し、前記ストラップの紐は、前記ガイド部を通過し、且つ前記ガイド部に沿って前記取付孔の外部へ引き出される。
【０００６】
また、上記の課題を解決するために、本発明に係る携帯式電子装置は、本体部と、ケース体と、電池蓋と、ストラップの取付構造と、を備える。前記ケース体及び前記電池蓋は、前記本体部の対向する両面に被覆されて係合され、前記本体部の一端には貫通溝が設けられ、前記ストラップの取付構造は前記貫通溝の内部に設けられた掛け部を備え、前記掛け部は掛止用柱体を備え、前記本体部には前記貫通溝と互いに連通する取付孔が設けられ、前記ストラップの取付構造は、前記電池蓋に設けられた抜け止め部及び前記ケース体に設けられたガイド部をさらに備え、前記電池蓋が前記本体部に係合された後、前記掛止用柱体は前記抜け止め部の内部に嵌合される。前記ガイド部は、前記取付孔に隣接して設けられ、前記ストラップの紐は、前記掛止用柱体に掛けられ、前記抜け止め部は、前記ストラップの紐が前記掛止用柱体から脱離することを防止し、前記ストラップの紐は、前記ガイド部を通過し、且つ前記ガイド部に沿って前記取付孔の外部へ引き出される。
【発明の効果】
【０００７】
従来の技術とは異なり、本発明は、本発明は、電池蓋に抜け止め部を設け、本体部には掛け部を設けてストラップの取付構造を構成する。このストラップの取付構造によって、電池蓋を取り外して、ストラップ紐を携帯式電子装置に装着する。また、電池蓋の抜け止め部によって、ストラップ紐を本体部の掛け部内に留めることができる。従って、本発明のストラップの取付構造は、ストラップの携帯式電子装置に対する取付及び交換を容易に実現することができる。
【図面の簡単な説明】
【０００８】
【図１】本発明の携帯式電子装置に用いられるストラップの取付構造の裏から見た分解図である。
【図２】図１に示した携帯式電子装置の電池蓋及び本体部を別の視点から見た図である。
【図３】図１の表から見た組立図である。
【図４】図３に示した携帯式電子装置に設けられたストラップの取付構造の断面図である。
【図５】図４に示した携帯式電子装置に設けられたストラップの取付構造にストラップ紐を装着した状態を示す図である。
【発明を実施するための形態】
【０００９】
図１及び図２に示すように、本発明の実施形態に係るストラップの取付構造は、携帯電話機、タブレットパソコン、デジタルカメラ、或いはフラッシュディスク等の携帯式電子装置に設けられ、装飾用等のストラップを取り付けるために用いられる。
【００１０】
図３〜図５を併せて参照すると、前記携帯式電子装置は、ストラップの取付構造と、本体部１０と、ケース体２０と、電池蓋３０と、を備える。ケース体２０及び電池蓋３０は、前記本体部１０の両面に着脱可能にそれぞれ設置される。前記ストラップの取付構造は、ストラップ紐５０を固定するために用いられ、本体部１０に設けられた掛け部１５と、ケース体２０に設けられたガイド部２５と、電池蓋３０に設けられた抜け止め部３５と、を備える。前記掛け部１５は、前記抜け止め部３５内に嵌め込まれる。ストラップ紐５０の一端は掛け部１５に巻き付けられる。ストラップ紐５０の他端は抜け止め部３５を迂回した後、ガイド部２５に沿って本体部１０の外部に引き出される。
【００１１】
本体部１０は携帯式電子装置の機体であり、第一表面１１と、第一表面１１と反対側の面に設置された第二表面１２と、端壁１３と、を備える。端壁１３は第一表面１１及び第二表面１２と連接している。また、端壁１３には、第一表面１１と第二表面１２とを貫通する貫通溝１４が設けられている。貫通溝１４は、互いに対向して設けられた２つの側壁１４１を備える。掛け部１５は貫通溝１４内に突設され、且つ仕切り板１５０、掛止用柱体１５１及び当接板１５３を備える。仕切り板１５０は、一方の側壁１４１の中部から、第一表面１１に対して平行するように延在している。掛止用柱体１５１及び当接板１５３は、仕切り板１５０の一端から互いに反対向きにそれぞれ延伸している。端壁１３における第二表面１２に近接する側辺には、止め板１３２が設けられている。仕切り板１５０、掛止用柱体１５１及び側壁１４１が共に取り囲むことによって、収容凹所１５２が形成されている。また、止め板１３２には取付孔１３３が設けられており、この取付孔１３３は、当接板１５３と間隔をあけて互いに対向して設置され、且つ貫通溝１４と連通する。
【００１２】
ケース体２０は本体部１０の第二表面１２にカバーされ、且つ本体部１０に係合固定される。ケース体２０は主体板２１を含む。この主体板２１における本体部１０の第二表面１２に向かう表面の一端の縁には、位置決め板２２が突設されている。ガイド部２５は、位置決め板２２に隣接するように主体板２１の縁に突設されている。本実施形態において、ガイド部２５は帯状バンプである。ガイド部２５と位置決め板２２との間には、ストッパー溝２３が形成されている。当接板１５３の一端は、ストッパー溝２３の内部に挟持される（図４を参照）。ガイド部２５の位置決め板２２に背離する側には斜面２５１が設けられている。斜面２５１は取付孔１３３と対向して設けられる。ケース体２０が本体部１０にカバーされた後、当接板１５３と斜面２５１と本体部１０との間には間隙が形成される。前記間隙は、斜面２５１に対応する位置において取付孔１３３に連通するので、ストラップ紐５０は、前記間隙を通過して斜面２５１に沿って引き出される。
【００１３】
電池蓋３０は、底板３１及び底板３１を囲むように設けられた側板３２を備える。側板３２における本体部１０の止め板１３２に対応する部位には、切欠き３３が設けられている。抜け止め部３５は底板３１の内面に設けられ、且つ側板３２に連接される。抜け止め部３５は、「コ」字状の筐体３５１からなる。筐体３５１の内部には、中空部３５２が形成されている。電池蓋３０を本体部１０にカバーした際、筐体３５１は収容凹所１５２内に収容され、掛止用柱体１５１は筐体３５１の中空部３５２内に収容されるので、ストラップ紐５０が掛け部１５から離脱することはない。
【００１４】
携帯式電子装置を組み立てる場合、先ずケース体２０を本体部１０の第二表面１２に被覆して固定する。この際、ガイド部２５は、取付孔１３３の片側に位置し、当接板１５３は、ストッパー溝２３の内部に挟持される。次に、電池蓋３０を本体部１０の第一表面１１及び端壁１３に対応してカバーすると共に、本体部１０の止め板１３２を電池蓋３０の切欠き３３内に収容させる。この際、取付孔１３３は、切欠き３３と互いに連通する。抜け止め部３５の中空部３５２は、掛け部１５の収容凹所１５２内に収容される。掛止用柱体１５１は、中空部３５２の内部に挿し込んで、筐体３５１により取り囲まれる。
【００１５】
ストラップ紐５０を装着する場合、電池蓋３０を取り外して、本体部１０の掛止用柱体１５１を露出させた後、ストラップ紐５０をこの掛止用柱体１５１に囲むように掛け、且つストラップ紐５０を抜け止め部３５の中空部３５２の中から延出させて、前記間隙を通過させた後、ガイド部２５の斜面２５１まで延伸させる。次いで、斜面２５１に沿って取付孔１３３からストラップ紐５０を本体部１０の外部へ引き出す。次いで、電池蓋３０を本体部１０に再び係合して、電池蓋３０の抜け止め部３５の中空部３５２を本体部１０の掛け部１５の収容凹所１５２内に収容させ、且つ掛止用柱体１５１を中空部３５２内に延伸させ、筐体３５１によって掛止用柱体１５１を取り囲む。これにより、本体部１０の収容凹所１５２は電池蓋３０の中空部３５２と組み合わさって、ストラップ紐５０が携帯式電子装置から脱離することを効果的に防止する。
【００１６】
上記の実施形態から分かるように、本発明は、電池蓋３０に抜け止め部３５を設け、本体部１０に掛け部１５を設けてストラップの取付構造を構成する。このストラップの取付構造によって、電池蓋３０を取り外して、ストラップ紐５０を携帯式電子装置に装着する。また、電池蓋３０の抜け止め部３５によって、ストラップ紐５０を本体部１０の掛け部１５内に留めることができる。従って、本発明のストラップの取付構造は、ストラップの携帯式電子装置に対する取付及び交換を容易に実現することができる。
【００１７】
以上、本発明の好適な実施形態について詳細に説明したが、本発明は前記実施形態に限定されるものではなく、本発明の範囲内で種々の変形又は修正が可能であり、該変形又は修正もまた、本発明の特許請求の範囲内に含まれるものであることは言うまでもない。
【符号の説明】
【００１８】
１０    本体部
１１    第一表面
１２    第二表面
１３    端壁
１４    貫通溝
１５    掛け部
２０    ケース体
２１    主体板
２２    位置決め板
２３    ストッパー溝
２５    ガイド部
３０    電池蓋
３１    底板
３２    側板
３３    切欠き
３５    抜け止め部
５０    ストラップ紐
１３２    止め板
１３３    取付孔
１４１    側壁
１５０    仕切り板
１５１    掛止用柱体
１５２    収容凹所
１５３    当接板
２５１    斜面
３５１    筐体
３５２    中空部
【図１】
2014033196.tif 000003
【図２】
2014033196.tif 000004
【図３】
2014033196.tif 000005
【図４】
2014033196.tif 000006
【図５】
2014033196.tif 000007